(57)【要約】      （修正有）【課題】時計の時計的精度を改善可能な、取付け方法を提供する。【解決手段】小型時計ムーブメント２と耐水ケースを含む、時計１の組立方法であって、組立方法は、第１ケース要素を、更に具体的には裏蓋３１を取付け固定することで、ケースを閉じる第１段階と、第２ケース要素の、更に具体的には真の、特に巻上げ真３２１またはバルブの真または押しボタンの真の動作によりケースを閉じる第２段階であって、第２ケース要素は、ケースの内部とケースの外部の環境との間の流体連結が許可される第１構造とケースの内部とケースの外部の環境との間の流体連結が制限される第２構造との間で可動である第２段階と、の段階を含み、閉じる第２段階は、第２要素の第１構成から第２構成への移行動作である。【選択図】図１
2019215323.tif 000002
【特許請求の範囲】
【請求項１】
小型時計ムーブメント（２）と、耐水ケース（３）を含む、時計（１）の組立方法であって、前記組立方法は、
第１ケース要素（３１）を、更に具体的には裏蓋（３１）を取付け固定することで、前記ケースを閉じる第１段階と、
第２ケース要素（３２）の、更に具体的には真の、特に巻上げ真（３２）またはバルブ（３９）の真（３２Ａ）または押しボタンの真の動作により前記ケースを閉じる第２段階であって、前記第２ケース要素（３２）は、前記ケースの前記内部（４）と前記ケースの外部の環境（５）との間の流体連結が許可される第１構造と前記ケースの前記内部（４）と前記ケースの外部の前記環境（５）との間の流体連結が制限される第２構造との間で可動である第２段階と、
の段階を含み、
閉じる前記第２段階は、前記第２要素の前記第１構成から前記第２構成への移行動作である、
組立方法。
【請求項２】
前記第２要素（３２）は、前記第２要素の前記第１構成から前記第２構成への移行が、前記ケース内の流体の２５％以下の、または１０％以下の、または５％以下の変位を引き起こすように配置され、流体の前記変位は、
前記第１要素の前記ケースの前記内部（４）と前記ケースの外部の前記環境（５）との間の流体連結が許可される第３構成から前記ケースの前記内部（４）と前記ケースの外部の前記環境（５）との間の流体連結が制限される第４構成への移行、または
前記第１要素の前記ケースへの位置決め及び固定、
により引き起こされる、
請求項１に記載の組立方法。
【請求項３】
前記組立方法は、前記第２段階に続いて、前記ケースの前記密閉完全性をテストする第３段階を、更に具体的には、前記ムーブメントの前記歩度の値が測定される、前記ケースの密閉完全性をテストする第３段階を含む、
請求項１または２に記載の組立方法。
【請求項４】
前記組立方法は、前記第１段階に先駆けて、前記ムーブメントの前記歩度を調節する段階を含む、
請求項１から３のいずれか一項に記載の組立方法。
【請求項５】
前記ケースを閉じる前記第１段階は、裏蓋（３１）をケース胴（３３）へねじ留めすることを含む、
請求項１から４のいずれか一項に記載の組立方法。
【請求項６】
前記裏蓋（３１）の前記ケース胴（３３）へのねじ留めは、第１密閉ガスケット（３４）を変形させる、特に圧縮する、
請求項５に記載の組立方法。
【請求項７】
前記ケースを閉じる前記第２段階は、前記第２要素の前記第１構成から前記第２構成への変位を、更に具体的には真の、特に巻上げ真またはバルブ真または押しボタン真の長手方向変位を含む、
請求項１から６のいずれか一項に記載の組立方法。
【請求項８】
前記第２要素は、前記第２構成においては、第２密閉ガスケット（３５）と接触する状態にあり、前記第１構成においては、前記第２密閉ガスケットと中断された接触または部分的に中断された接触状態にある、
請求項１から７のいずれか一項に記載の組立方法。
【請求項９】
前記第２要素は真であり、前記第１構成において、前記真は、前記第２密閉ガスケット（３５）に対向する、減少した断面の部分（３２１）を示す、
請求項１から８のいずれか一項に記載の組立方法。
【請求項１０】
前記組立方法は、前記第２ケース要素を前記第１構成へ位置させる、前記第２ケース要素（３２）の動作の第３段階を含み、前記第３段階は前記第１段階に先行する、
請求項１から９のいずれか一項に記載の組立方法。
【請求項１１】
前記第２要素は真であり、前記第２要素を前記第１構成に位置させるための変位は、前記小型時計ムーブメントの第３要素（２１）への作用、更に具体的には引き抜き片（２１）への作用を必要とする、
請求項１から１０のいずれか一項に記載の組立方法。
【請求項１２】
前記第２要素は真であり、前記第２要素を前記第２構成に位置させるための変位は、前記小型時計ムーブメントの第３要素（２１）への作用とは独立して、更に具体的には引き抜き片（２１）への作用とは独立して、実施される
請求項１から１１のいずれか一項に記載の組立方法。
【請求項１３】
ムーブメントと、第２ケース要素を、更に具体的には真を、特に巻上げ真（３２）またはバルブの真（３２Ａ）または押しボタンの真を含む小型時計ケース（３）を含む、時計（１）、更に具体的には腕時計であって、前記第２要素は、前記ケースの前記密閉完全性を保証するよう適合される第２構成と、前記小型時計ケースの前記内部（４）と前記小型時計ケースの外部の環境（５）との間の流体連結を可能にするよう適合される第１構成との間で可動に配置される、
時計（１）。
【請求項１４】
前記真は、前記真の前記第１構成において、前記第２密閉ガスケット（３５）に対向する位置に来るよう意図される、減少した断面の部分（３２１）を示す真であり、及びまたは、前記第２要素は、前記第１構成から第２構成へ一方向に可動に配置される、及びまたは、前記第２要素は、前記第２構成から前記第１構成へ、前記ムーブメントへの時計士の作用により可動に配置される、及びまたは前記第２要素は、前記第１構成から前記第２構成へ自由に可動に配置される、
請求項１３に記載の時計。
【請求項１５】
請求項１から１２のいずれか一項に記載の方法の実施により得られる、時計（１）、更に具体的には腕時計。
【発明の詳細な説明】
【技術分野】
【０００１】
本発明は、耐水性時計の取付けまたは組立方法に関する。本発明はまた、時計、更に具体的には当該方法の実施により得られた時計に関する。
【背景技術】
【０００２】
小型時計ムーブメントへの圧力の変動は、その歩度を変動させる。変動は、１日あたり且つ１ｍｍＨｇあたり、０．０１から０．０２秒程度であり、または１日あたり且つ１バールあたり１０から１５秒程度である。小型時計の歩度への圧力の効果は、更に具体的には、特許文献１に記載のように、ケースの密閉完全性を立証するために利用される。
【０００３】
耐水性小型時計ケースへムーブメントを入れる段階は、ケースの裏蓋を係止することがケース内の圧力を増加させるため、同様に、ムーブメントの歩度に影響を与える。この圧力は、時の経過により小型時計ケースの外部の環境の圧力と一致するまで相殺される。しかしながら、例えばＣＯＳＣへテストまたは認定のために提出され、むき出しのムーブメントの調整は、過大加圧が解消するのに必要な時間である、数か月の期間に分布される。このため、一旦組み立てられた小型時計は、むき出しのムーブメントの歩度とは異なる歩度を示す。
【０００４】
ケースへ入れる段階は、ムーブメントをそのケースの中へ配置してそこに固定し、りゅうず真を挿入し、裏蓋を閉じることを含む。ケース入れの最中にムーブメントが曝される圧力の変動は、
−  裏蓋がその位置にあり、密閉ガスケットが圧縮されていないが、それが当接する表面に接触する、ケース内の第１自由体積と、
−  裏蓋が係止され、密閉ガスケットが押しつぶされる、ケース内の第２自由体積と
の間の変化に対応する。
【０００５】
このように、圧力の変動は、ケースとムーブメントの形状に依拠する。約４０ｍｍの直径を有する小型時計の場合、裏蓋を閉じることに関連する圧力の変動は、１日あたり１秒に近い歩度の遅れをもたらすこともある。
【０００６】
非特許文献１によれば、てん輪の振動の周期は、周囲の気体によって影響を受ける。歩度−圧力関数は、一般的には、１ｍｍＨｇあたり０．０１から０．０２ｓ／ｊ程度で、圧力が増加すると遅れが生じる。てん輪が大きくなるほど、歩度の変動は小さくなる。
【０００７】
非特許文献２によれば、特定の小型時計の歩度への大気圧の効果は、その気圧係数Ｃ（圧力単位あたりの歩度の変動）により特徴づけられる。効果は小型時計の通常の動作温度に関して一定であると推定され、時計のそれぞれ（または構造のそれぞれ）について測定されなければならない。
【０００８】
当該効果は、特許文献２またはＣ．  Ａｔｔｉｎｇｅｒにより早くも１９４８年に非特許文献３により説明されるように、特に、小型時計ケースの密閉完全性をテストするために利用される。
【０００９】
圧力に依拠する歩度の変動を評価するために、さまざまな内径に実施された測定は、１バールの差異について１日あたり１０秒を超える変動を示し、同様に、ケースに入れられたムーブメントは、基本的にもはや大気の変動に曝されないことを確認した。小型時計ケースの内部及び外部の圧力が互いに相殺し、歩度が安定するための安定期間は３か月と推定された。
【００１０】
耐水性小型時計の利用可能性に関連する利点の１つは、最も多様な環境への携帯性を可能にすることであったが、結果として新たな問題を導いた。その問題は、調節された時点での、またはＣＯＳＣによりテストされた時点での、ムーブメントと、小型時計に設置され、裏蓋が閉じられたムーブメントとの、歩度の変動である。
【００１１】
実際、耐水性ケースの裏蓋を閉じることは、約０．１バールに達することもあるケース内の圧力の増加をもたらし、または裏蓋の係止により１日あたり１秒の歩度の差をもたらす。
【００１２】
ケース胴へねじ留めされた裏蓋を示す、小型時計ケースについての理論的圧力計算を、以下に示す。
【００１３】
耐水性小型時計ケース内の圧力は、ボイルの法則に準拠する：ｐ１×Ｖ１＝ｐ２×Ｖ２
ここで、
ｐ１：小型時計ケースの内部の環境が小型時計ケースの外部の環境から隔離された瞬間の、小型時計ケースの周囲の圧力、
Ｖ１：小型時計ケースの内部の環境が小型時計ケースの外部の環境から隔離された瞬間の、内部の自由体積、またはケース内側の環境ガスの体積、
ｐ２：第１要素が完全に取り付けられ、ケース胴へ固く締められたときの、小型時計ケース内の圧力、または小型時計ケース内の環境の圧力、
Ｖ２：第１要素が完全に取り付けられ、ケース胴へ固く締められたときの、ケース内部の自由体積、またはケース内側の環境ガスの体積。
【００１４】
大気圧ｐ１（例えば０．９６６バール）が、裏蓋が取付けられたムーブメントを含むケースの体積Ｖ１に関連する場合、圧力の変動Δｐは、以下の数式で与えられる。
Δｐ＝ｐ１×ΔＶ／Ｖ２、ここでΔＶ＝π×ｈ×ｄ２／４ 
ここで、
ｄ：裏蓋のねじ山の外径、
ｈ：小型時計ケースの内部の環境が小型時計ケースの外部の環境から隔離された構成と、第１要素が完全に取り付けられ、ケース胴へ固く締められた構成との間の、第１密閉ガスケットの高さの差。
【００１５】
例として、０．８ｍｍのトーラス直径を有するＯリングシールにより密閉完全性が保証される、３２ｍｍのねじ山の外径を有する裏蓋を含む、４０ｍｍの直径を有する小型時計の裏蓋を閉じると、裏蓋を係止するときに０．０２８バールの圧力の差が生じる。この差は、１日あたり約０．３秒の歩度の変動をもたらす。
【００１６】
耐水性小型時計の場合、均衡はガスケットを通じた空気の拡散により達成されると見做され、海水位での歩度の調整は、所有者が高地にいると迅速に相殺される。しかしながら、製造中とその後の動作中の調節の時点の両方において、時計士が行った調節が維持されることを保証することが有利であると立証することもできる。これは、更に具体的には、小型時計ケース内の圧力の変動の結果、小型時計への介入に続く数か月中、依頼人が歩度の重大な差を見つける危険に曝されるというアフターサービスの時点で当てはまる。
【００１７】
ケースへ入れた直後から、ムーブメントがケースに入れられた時に適切な歩度を有することを保証するために、圧力の変動を予測し、それに従ってムーブメントの歩度を調整することで問題を解決することは可能であるが、これには複雑な計算を必要とし、アフターサービスでの困難を伴うことによってのみ達成可能である。加えて、介入の数か月後に圧力が平衡すると、歩度が不適切になってしまう。
【先行技術文献】
【特許文献】
【００１８】
【特許文献１】欧州特許出願公開第３１３６１８９号
【特許文献２】欧州特許出願公開第３１２１６６３号
【非特許文献】
【００１９】
【非特許文献１】「Ｉｎｆｌｕｅｎｃｅ  ｏｆ  ｔｈｅ  ｆｌｕｉｄ  ｄｒｉｖｅｎ  ｆｏｒ  ｔｈｅ  ｐｅｒｉｏｄ  ｏｆ  ｏｓｃｉｌｌａｔｉｏｎ  ｏｆ  ａ  ｓｐｒｉｎｇ  ｐｅｎｄｕｌｕｍ」、Ｃ．  Ａｔｔｉｎｇｅｒ，  Ａｎｎｕａｌ  ｂｕｌｌｅｔｉｎ  ｏｆ  ｔｈｅ  ＳＳＣ、  １９４７
【非特許文献２】「Ｉｎｆｌｕｅｎｃｅ  ｏｆ  ｂａｒｏｍｅｔｒｉｃ  ｖａｒｉａｔｉｏｎｓ  ｏｎ  ｔｈｅ  ｒａｔｅ  ｏｆ  ｍａｒｉｎｅ  ｃｈｒｏｎｏｍｅｔｅｒｓ」、  Ｅ．  Ｇｕｙｏｔ，  Ａｎｎｕａｌ  ｂｕｌｌｅｔｉｎ  ｏｆ  ｔｈｅ  ＳＳＣ，  １９３８
【非特許文献３】「Ｂａｒｏｍｅｔｒｉｃ  ｐｒｅｓｓｕｒｅ  ａｎｄ  ｗａｔｃｈｅｓ．  Ｖａｒｉｏｕｓ  ａｐｐｌｉｃａｔｉｏｎｓ」、  Ｃ．  Ａｔｔｉｎｇｅｒ，  Ａｎｎｕａｌ  ｂｕｌｌｅｔｉｎ  ｏｆ  ｔｈｅ  ＳＳＣ，  １９４８
【発明の概要】
【発明が解決しようとする課題】
【００２０】
本発明の目的は、上述の欠点に対応し、従来技術からよく知られた方法を改善するために、耐水性時計の取付けまたは組立方法を提案することである。特に、本発明は、簡単であり、当該方法により取り付けられた時計の時計的精度を改善可能な、取付け方法を提案する。
【課題を解決するための手段】
【００２１】
本発明にかかる組立方法は、請求項１に定義される。
【００２２】
組立方法の様々な実施形態は、請求項２から１２に定義される。
【００２３】
本発明にかかる時計は、請求項１３から１５に定義される。
【００２４】
添付の図面は、本発明にかかる時計の実施例を例として示す。
【図面の簡単な説明】
【００２５】
【図１】図１は、様々な構成による、時計の実施形態の断面図である。
【図２】図２は、様々な構成による、時計の実施形態の断面図である。
【図３】図３は、様々な構成による、時計の実施形態の断面図である。
【図４】図４は、様々な構成による、時計の実施形態の断面図である。
【図５】図５は、様々な構成による、時計の実施形態の第１変形例の断面図である。
【図６】図６は、時計の実施形態の第２変形例の断面図である。
【発明を実施するための形態】
【００２６】
時計１の第１実施形態を、図１から４を参照して以下に説明する。時計は、例えば小型時計であり、特に腕時計である。時計は、ムーブメント２を含む。ムーブメントは機械式ムーブメントである。ムーブメントは、特に、自動式機械式ムーブメントであってよい。
【００２７】
時計はまた、小型時計ケースを、更に具体的には耐水性小型時計ケースを含む。小型時計ケースは、耐水の態様でムーブメントを囲むことが意図される。このため、小型時計ケースは、小型時計ケース内に、小型時計ケースの外部の環境５から隔離された環境４を規定する。
【００２８】
小型時計ケースは、第１側がガラスで閉鎖され、第２側が第１ケース要素、例えば裏蓋３１で閉鎖された、ケース胴３３を含む。小型時計ケースはまた、第２ケース要素の、例えばりゅうず管を取付けるために必要な、１以上の要素を含む。
【００２９】
ケース胴と第１要素間の密閉完全性は、第１密閉ガスケット３４により保証される。
【００３０】
第１要素は、ケース胴に、ねじ留めで取付けられてもよい。すなわち第１要素は、ケース胴へ螺旋状リンクにより結合されてもよい。代替案として、第１要素はねじの助けを借りてケース胴に取付けられてもよい。好ましくは第１要素の取付けは、第１密閉ガスケットを圧縮または押しつぶす。この第１密閉ガスケットの圧縮または押しつぶしは、小型時計ケース内の体積の減少をもたらす。第１要素への第１ガスケットの全周囲周りの継続的な接触の時点から小型時計ケース内の環境４が隔離されているとの前提で、第１密閉ガスケットの変形、より具体的には圧縮または押しつぶしは、他の点で小型時計ケースが開放されていないとの前提で、小型時計ケース内の環境で圧力の増加をもたらす。
【００３１】
ケースは更に、第２ケース要素で閉じられる。例えば、図１から４に示す実施形態において、第２要素は、ケース胴を貫通する真３２１、特にケース胴を貫通するりゅうず真と関連する、巻上げりゅうず３２０である。
【００３２】
第２要素は、具体的には第１構成及び第２構成間で変位可能な、変位可能要素である。これら２つの構成は、第２要素が異なる位置をとることにより、達成することができる。第２要素は、例えば長手方向に、すなわち第２要素の長手方向に、変位可能である。図１、２、３は、第１構成の位置を図示する。図４は、第２構成に対応する位置を図示する。
【００３３】
第２要素は、第２構成において、第２要素がケースの密閉完全性を保証するよう適合されるように配置され、第１構成において、第２要素が小型時計ケースの内部４と小型時計ケースの外部の環境５との間の流体連結を可能にするよう適合されるように配置される。
【００３４】
第２要素は、例えば、ケース胴を貫通する。小型時計ケースは、更に、第２密閉ガスケット３５を含む。第２密閉ガスケットは、第２要素とケース胴との間のインターフェースの高さでの小型時計ケースの密閉完全性を保証するために、第２要素と協働する。
【００３５】
第２ジョイントの状態は、密閉完全性と第２要素の構成を規定してもよい。このため、第２ジョイントが、そのインターフェースにおいて密閉完全性を保証することが意図されるパーツの一つのみと接触するときは、小型時計ケースの内部は外部と流体連結し、第２要素はその結果第１構成にある。第２ジョイントが、そのインターフェースにおいて密閉完全性を保証することが意図される２つのパーツと接触し、２つのパーツ間で圧縮されると、小型時計ケースの内部は外部から隔離され、ケースは耐水性を有し、第２要素は第２構成にある。最後に、この２つの構成間で、第２ジョイントが、そのインターフェースにおいて密閉完全性を保証することが意図される２つのパーツと接触するだけで、２つのパーツの間で圧縮されない、制限構成を規定することができる。この制限構成において、小型時計ケースの部分的密閉完全性を成立させることができる。
【００３６】
第２密閉ガスケットは、例えば第２Ｏリングシールである。第２密閉ガスケットは、例えばケース胴の溝に、またはケース胴に取付けられた第２要素を固定するために必要な片に、収容される。代替としてまたは追加的に、第２密閉ガスケットは、第２要素の溝に収容されてもよい。代替としてまたは追加的に、第２密閉ガスケットは、第２要素のキャップの裏に、更に具体的にはりゅうずの裏に収容されてもよい。
【００３７】
第２要素は、第２構成において、第２密閉ガスケット３５と接触の状態にあり、第１構成において、第２密閉ガスケットと中断された接触または部分的に中断された接触の状態にある。
【００３８】
好ましくは、第２要素は、第２要素の第１構成において、第２密閉ガスケット３５と登録されることが意図される、断面が減少した部分３２１を示す。断面が減少した部分は、第２要素に設けられた第１窪みまたは第１溝を含んでもよい。
【００３９】
第２要素が真を含むと仮定して、当該真は例えば円形の形状を有し、更に具体的には真は好ましくは全体に円柱形状を有する。第２要素は、真と真に取付けられたりゅうずを含んでもよい。更なる代替案として、第２要素は、真と、真に取付けられたキャップとを含んでもよい。
【００４０】
第２要素が真を含むと仮定して、当該真は、引き抜き片２１と協働することが意図される、更に具体的には引き抜き片のパッド２２と協働することが意図される、第２窪みまたは第２溝３２２を示す。特に、第２溝は、引き抜き片パッドを受け入れることが意図される。引き抜き片の位置は、引き抜き片パッドに対する第２溝の作用により、真の位置により制御されてもよい。
【００４１】
図５に図示する時計の実施形態の第１変形例において、第２要素は、バルブ３９の真３２Ａである。当該変形例において、真３２Ａはケース胴３へねじ込まれ、真とケース胴との間に間隙がある第１構成（図５、右側の図）と、特にガスケット３５Ａを用いて真とケース胴との間に密閉完全性が保証される第２構成（図５、左側の図）との間で、螺旋リンクにより変位されてもよい。真３２Ａは、ケース胴３へねじ込まれてもよく、第２要素と一体のまたは第２要素の一部であるキャップを用いて螺旋リンクで変位されてもよい。
【００４２】
図６に図示する時計の実施形態の第２変形例において、第２要素はまた、バルブ３９の真３２Ａである。当該変形例において、真３２Ａは、ケース胴に滑動可能に取り付けられ、更に具体的にはケース胴に滑動ピボットとして取付けられる。ばねは、更に具体的には小型時計ケース内部に配置されたばねは、真とケース胴との間の密閉完全性が、更に具体的には第２密閉ガスケットの作用により保証される、第２構成へ真を戻す（図６）。真は、小型時計ケースの外部に頭部を有する。当該頭部は、工具４０を介して、装着者または時計士により動作されるために構成される。実際、工具４０の助けにより、真の頭部に作用することが、特に真を真とケース胴との間に間隙が存在する第１構成へ移動するためにばねに対向して真の頭部を引くことが、可能になる。
【００４３】
上述の２つの変形例は、りゅうず真とケース胴との間のインターフェースに改善された密閉完全性が提供されるため、及びまたはりゅうずの高さに密閉ガスケットを含むことから、特にダイバーズウォッチに適合することができる。
【００４４】
図示しない時計の実施形態の第３変形例において、第２要素は押しボタン真であってもよい。
【００４５】
時計の組立方法の実施の態様を、以下に説明する。
【００４６】
ムーブメント２は、第１段階で、ケースに入れられる、すなわちムーブメントが小型時計ケース内へ統合される。当該動作は例えば、時計士により時計の製造過程で、または時計士によりアフターサービス作業過程で、行われる。第１段階は、ムーブメントを耐水性小型時計ケースへ、ムーブメントの調節を許可するように挿入し固定することが意図される。第１段階は、ムーブメントの様々な操作に進むことを可能にする真の挿入を含む。当該真は、裏蓋を元通りにねじ留める前に取り外され、裏蓋が元通りにねじ留められると最終真と交換される、作業用真であってもよい。
【００４７】
ムーブメントがケースに入れられると、ムーブメントの調節は、第２段階で実施される。特に、ムーブメントの歩度の調節が行われる。
【００４８】
ケースに入れられたムーブメントの歩度Ｍ１を、第３段階で測定する。
【００４９】
第４段階において、第２要素は、ケースの内部４とケース外部の環境５との間の流体連結が許可される第１構成に位置される。特に、当該第１構成において、真の断面が減少した部分３２１は、第２密閉ガスケット３５と登録される。ガスケットは、ケースまたは第２要素のいずれか１つのパーツのみと接触する。
【００５０】
第２要素を第１構成に位置させることが意図される変位は、時計士による小型時計ムーブメントの第３要素への作用により、更に具体的には引き抜き片２１への、特に引き抜き片のパッド２２への作用により、可能となる。このため、当該段階は、ケースの裏蓋が外されなければ実施できない。このため、当該段階は、小型時計の装着者によって実施されることができない。変形例として、更に具体的には時計士が作業用真を用いて、第１要素を固定した後に作業用真を最終真と取り換えるときに、巻上げ真を完全に取り出すことも可能である。
【００５１】
第４段階を確実な態様で実施するために、好ましくは、修正されたサポートが用いられる。当該サポートは例えば、ムーブメントからの真の取り出しを制限するための、および真が第１構成へ完全に到達することを保証するための、当接部を含む。このため、当接部は、真の位置がピニオンへの係合を維持し、システムの歯車が真の助力により機能する、第１構成に対応する位置を規定する。好ましくは、第１構成は、ムーブメントへの真の完全な挿入後に、または少なくても真をムーブメントへより深く挿入した後に、達成可能でもよい。変形例として、真は、更に具体的には作業用真は、第１構成を達成するためにムーブメントから完全に取り出されてもよい。しかしながらこの解決策は、その後、最終真を、最終真が滑動ピニオンと係合することを視覚で満足させることなく挿入しなければならない点で、ある程度の器用さを必要とするため、より大きなリスクが伴う。
【００５２】
図６に示すように、第２要素がバルブ３９の真３２Ａであると仮定すると、第４段階は、工具４０の、更に具体的にはケースバルブを動作させるための工具の助力により、時計士により実施される。このため第４段階は、ケースを閉じる段階の後に実施される。
【００５３】
第５段階において、ケースは、第１ケース要素３１を、更に具体的には裏蓋を取付け、その位置に係止することで、閉じられる。ケースを閉じることは、裏蓋３１をケース胴３３へねじ留めすること、またはねじの助力により裏蓋を取付けることを含んでもよい。ケース胴３３への裏蓋の係止は、第１密閉ガスケット３４を特に押圧することで変形させる。
【００５４】
第６段階において、ケースは第２要素３２の動作により閉じられる。第２要素の動作は、第２要素を第１構成から、ケースの内部４とケースの外部の環境５との流体連結が制限される第２構成へ移行することを可能にする。ガスケット３５は、ケースと第２要素の２つのパーツと接触させられる。理想的には、例えば、りゅうずのねじ込み動作により、より高い密封完全性を保証するために、ガスケット３５が押圧される。
【００５５】
この第２構成において、ケースの内部４とケースの外部の環境５との流体連携は、可能な限り制限される。この流体連携は、小型時計ケースが耐水であるために、更に具体的にはＮＩＨＳ  ９２−１０（１９８６年）またはＮＩＨＳ  ９２−１１（１９９６）基準に基づき、１００ｍまたは３００ｍまたは１２２０ｍまで耐水であるために、十分に制限されてもよい。更に具体的には、当該流体連結は、小型時計ケースの内部の環境４と小型時計ケースの外部の環境５との間の圧力差が２バールのとき空気の流体連結が５０μｇ／分以下であるように、十分に制限されてもよい。
【００５６】
第２要素３２の動作は、第１構成から第２構成への第２要素の変位を、更に具体的には真の、特に巻上げ真の、長手方向の変位を含んでもよい。この動作は螺旋状変位（ガスケットを圧縮する、りゅうずのねじ込み）を用いて行われてもよい。
【００５７】
第２要素３２は、好ましくは、第２要素の第１構成から第２構成への移行が、ケースの圧力の５％以下の、特に２％程度の上昇を引き起こすように配置され、ここで圧力の上昇は、
−  第１要素の第３構成から第４構成への移行が当該小型時計ケースを耐水にするまたは密閉させると仮定して、第１要素をケースの内部４とケースの外部の環境５との間の流体連結が許可される第３構成から、第１要素をケースの内部４とケースの外部の環境５との間の流体連結が制限される第４構成へ移行させること、または
−  第１要素を、ケースの残りへ位置させ固定すること、
により引き起こされる。
【００５８】
換言すれば、第２要素３２は好ましくは、第２要素の第１構成から第２構成への移行が、ケース内部の流体の２５％以下の、または１０％以下の、または５％以下の変位を引き起こすように、配置され、ここで流体の変位は、
−  第１要素の第３構成から第４構成への移行が当該小型時計ケースを耐水にするまたは密閉させると仮定して、第１要素をケースの内部４とケースの外部の環境５との間の流体連結が許可される第３構成から、ケースの内部４とケースの外部の環境５との間の流体連結が制限される第４構成へ移行させること、または
−  第１要素を、ケースの残りへ位置させ固定すること、
により引き起こされる。
【００５９】
第２要素３２は、例えば、第１構成から第２構成への移行が、ケース内部の圧力の０．１％以下の、または０．５％以下の上昇をもたらす、及びまたはケースの内部の自由体積の０．５％以下のまたは０．２％以下の減少をもたらす、及びまたは歩度の変動をゼロと見做すように、配置される。
【００６０】
好ましくは、小型時計ケース内の第２要素３２により変位されたガスの体積は、４０ｍｍ３以下、または３０ｍｍ３以下、または１０ｍｍ３以下、または小型時計ケース内の自由体積の１％以下、または０．５％以下である。変位されたガスの体積は、以下の２つの位置の間で規定される。
−  小型時計の密閉完全性がちょうど達成された、更に具体的にはガスケットが、ガスケットの圧縮をなくして、そのインターフェースで密閉完全性を保証しなければならないパーツとちょうど接触した、第２要素の限界位置と、
−  変位された体積が最大化される、第２要素の第２位置、または第２要素が小型時計の通常使用時に存在する第２要素の第２位置（例えば、ねじ留めされたりゅうずの構成）。第２位置において、ガスケットが、そのインターフェースで密閉完全性を保証しなければならないパーツと接触し、密閉完全性の十分な度合いを保証するために圧縮される。
【００６１】
第２構成において、第２要素は、好ましくは、第２密閉ガスケット３５と接触の状態にあり、第１構成において、第２要素は、好ましくは、密閉ガスケットと中断された接触状態、または部分的に中断された接触状態にある。
【００６２】
第７段階において、小型時計ケース内部に包まれた歩度Ｍ２を測定する。歩度の測定の段階は、ケースの密閉完全性の試験の一部であってもよい。
【００６３】
任意の第８段階において、先行する段階で測定された歩度Ｍ１とＭ２とが比較される。
【００６４】
防水小型時計ケースの場合の、説明した組立方法は、ムーブメントの調節を、ケース外で、またはムーブメントの現場で、裏蓋を閉じる前に行った調節と同じように維持することを可能にする。一般的且つ単純な態様で、第２要素は、第１ケース要素を閉じる前か後に取り出され、第１ケース要素がその位置に入れられ固定された後に、第２ケース要素が再度挿入され、または新たなケース要素が順に挿入される。より安全且つ洗練された態様として、時計士の動作による引き抜き片のパッドへのアクセスのみによって可能であり、巻上げ真タイプの第２要素がその先端まで挿入されたままでいることを保証する、第２構成に対応する特定の位置を提案することも同じく可能である。この特定の位置において、真は、裏蓋を閉じるその瞬間に、ケース胴と真との間で空気が移行することを許可するように、所定の直径の真の部分がケース胴に形成された真穴の高さへ配置されることを保証しつつ、真機構の１または複数のピニオンへ、更に具体的には摺動ピニオンへ、その先端まで挿入されることができる。当該位置において、組立サポートを用いて、正確に決定することができる。当該位置は、好ましくは、巻上げと修正の、更に具体的には時刻の修正、時間帯の修正、日付の修正の小型時計機能を保証することを可能にするための真位置とは別個の位置である。
【００６５】
実際、巻上げりゅうずのいくつかの伝統的デザインにおいて、（限定された）密閉完全性は、調整モードにおいても維持される。りゅうず真の一定の断面は、ガスケットを圧縮するために、真の巻上げ専用（図１）の、及び各種修正（図２及び３）の様々な位置においてガスケットと協働する。
【００６６】
組立方法と、適切な場合には、方法に適合されたサポートは、目的を達成することを可能にする。真は通常通り、時計士により、時計士がムーブメントの調整に進むことができるよう、挿入されてもよい。時計士が裏蓋を閉じることを求めた時点において、時計士は、引き抜き片のパッドへの作用と適切なサポートの使用により、特定位置まで真を取り出してもよい。当該特定位置において、真の減少された断面の細かなパーツまたはパーツは、ガスケット３５の高さにある。その後、圧力を増大させることなく裏蓋を閉じて係止することができ、時計士はその後、リスクなくしてムーブメントへ真を完全に挿入することができる。引き抜き片のパッドは、装着者が真を余計に取り出すことを防止し、ケースの密閉完全性の喪失を防止することを可能にし、この密閉完全性は、好ましくは、調節または修正位置においても同様に保証される。
【００６７】
代替案として、上述のように、作業用真は、裏蓋をねじ留めし、第２段階において、製品の最終真を設置する前に、引き抜き片のパッドへの作用により取り出されてもよい。最終真は、裏蓋が閉じられた後に設置され、滑動ピニオンと適切に係合するために注意が必要である。
【００６８】
真の第１構成は、真がケース胴から最大限取り出された真の位置を含んでもよい。真の第１構成は、りゅうずが緩められた状態の真の位置を含んでもよい。
【００６９】
好ましくは、真の第１構成は、りゅうずが緩められた状態の真の位置、及びまたはムーブメントの巻上げを許可する真の位置、及びまたは修正を許可する、更に具体的には日付の修正を許可する真の位置、及びまたは時間帯の修正を許可する位置、及びまたは時刻の修正を許可する真の位置を含んでもよい。
【００７０】
好ましくは、第１構成は第２要素の複数の位置を含んでもよく、及びまたは第２構成は第２要素の複数の位置を含んでもよい。
【００７１】
真の第２構成は、りゅうずがねじ込まれた真の位置を及びまたは真がケース胴内へ可能な限り導入された位置を含んでもよい。
【００７２】
第２要素は、第１構成から第２構成へ一方向に可動に配置されてもよい。特に、第２要素は、第２構成から第１構成へ、ムーブメントへの時計士の動作により可動に配置されてもよく、及びまたは第２要素は第１構成から第２構成へ自由に可動に配置されてもよい。
【００７３】
上述の方法が対応する問題は、調節に必要とされる正確性が重要な小型時計について生じる。実際、圧力の変動が歩度の変動に与える影響は、大部分の小型時計において、もっと強い理由から巻上げりゅうずの高さでの密閉完全性の信頼できるシステムを有しない小型時計において、無視可能である。
【符号の説明】
【００７４】
１      時計
２      ムーブメント
３      ケース胴
４      内部
５      環境
３１    裏蓋
３２    第２要素
３３    ケース胴
３４    第１密閉ガスケット
３５    第２密閉ガスケット
【図１】
2019215323.tif 000003
【図２】
2019215323.tif 000004
【図３】
2019215323.tif 000005
【図４】
2019215323.tif 000006
【図５】
2019215323.tif 000007
【図６】
2019215323.tif 000008
【外国語明細書】
2019215323000001.pdf
2019215323000002.pdf
2019215323000003.pdf
2019215323000004.pdf